(57)【要約】      （修正有）【課題】ケーブルの種類や引き回し方法の変更に柔軟に対応できるケーブル固定具を提供する。【解決手段】貫通穴を有するフレーム用台座２０を自転車のフレーム１００に固定しておくと、ケーブルをフレーム１００の外面に沿って引き回したいときにはケーブル用台座３０を同フレーム用台座２０に固定し、当該フレーム用台座２０を介してケーブルをフレーム１００の外面に保持できるし、ケーブルをフレーム１００の内部を通して引き回したいときには、フレーム用台座２０を使用することなく、フレーム用台座２０の貫通穴を介してケーブルをフレーム１００内に挿通させることができる。【選択図】図１
2015047968.tif 000002
【特許請求の範囲】
【請求項１】
自転車のフレームに固定されるフレーム用台座と、同フレーム用台座に脱着可能に装着されるケーブル用台座とを具備するケーブル固定具であって、
前記フレーム用台座は、
前記フレームに開口させた取付穴に対して固定可能であり、
自転車用部品を操作するケーブルを通して前記フレーム内外へ引き回し可能とする貫通穴を形成してあり、
前記ケーブル用台座は、
前記フレーム用台座に対して固定可能であり、
固定時には前記貫通穴を閉塞させる
ことを特徴とするケーブル固定具。
【請求項２】
前記フレーム用台座は、前記フレームへの装着時における表面に前記ケーブル用台座に対応した凹部を形成してあり、
前記ケーブル用台座は、前記凹部に入る形状の底板を有することを特徴とする請求項１に記載のケーブル固定具。
【請求項３】
前記フレーム用台座は、前記フレームへ固定するためのリベット用穴を有することを特徴とする請求項１または請求項２に記載のケーブル固定具。
【請求項４】
前記フレーム用台座は、前記フレームにおけるパイプ等の接合部に近い側に前記リベット用穴を形成してあることを特徴とする請求項３に記載のケーブル固定具。
【請求項５】
前記フレームの取付穴の周囲の素材が樹脂系であるときに、前記フレーム用台座は、前記取付穴に対して、接着剤と、前記リベット用穴を介してリベットとによる固定とを併用することを特徴とする請求項３に記載のケーブル固定具。
【請求項６】
前記フレームの取付穴の周囲の素材が金属系素材であるときに、前記フレーム用台座は、前記取付穴に対して溶接固定されることを特徴とする請求項１または請求項２に記載のケーブル固定具。
【請求項７】
前記フレーム用台座は、概ね細長い矩形形状に形成されており、
所定の厚みを有する主基部と、
薄厚としつつ前記主基部の周りに延設されるフランジ部とを有し、
前記主基部は、
前記凹部と、
この凹部における長手方向のほぼ中央に形成された貫通穴と、
この貫通穴を挟んで前記凹部に形成されるねじ穴とを有し、
前記フランジ部は、
長手方向における両端が略半円形状に形成され、
前記主基部を基準として一方の端部は他方の端部よりも長く、
長い側の端部には前記主基部と並設される前記リベット用穴を有することを特徴とする請求項２〜請求項５のいずれかに記載のケーブル固定具。
【請求項８】
前記ケーブル用台座において、
前記底板は、前記主基部に形成された凹部に入り込んで周縁で位置決め可能な略板状に形成されるとともに、前記主基部のねじ穴に対応した部位にボルト止め用の貫通孔を有し、
支柱を介して前記底板と一体的に形成され、前記ケーブルのアウターの端部を保持し、前記ケーブルのインナーを貫通可能なケーブル貫通孔を有する概略円柱形状のケーブル受け部を具備することを特徴とする請求項７に記載のケーブル固定具。
【請求項９】
前記ケーブル受け部は、ケーブルアジャスターを装着可能であり、前記ケーブルアジャスターを介して前記ケーブルのアウターを保持することを特徴とする請求項８に記載のケーブル固定具。
【請求項１０】
前記フレーム用台座の前記貫通穴には、エレクトリックケーブルを貫通せしめて水密的に保持可能なエレクトリックケーブル用のグロメットを装着可能であることを特徴とする請求項７に記載のケーブル固定具。
【請求項１１】
前記グロメットは、前記フレーム用台座に対して略直交する方向に沿って前記貫通穴に装着可能であると共に、前記貫通穴を斜めに突き抜けるように貫通斜孔を有することを特徴とする請求項１０に記載のケーブル固定具。
【請求項１２】
前記主基部には、前記フランジ部における短い側の周面であって、前記フランジ部から所定距離だけ離れた位置に同フランジ部と同様に周囲方向に突出するように形成された係止爪を有することを特徴とする請求項７〜請求項１１のいずれかに記載のケーブル固定具。
【請求項１３】
自転車のフレームに固定され、所定のケーブル用台座を脱着可能なフレーム用台座であって、
前記フレームに開口させた取付穴に対して固定可能であり、
自転車用部品を操作するケーブルを通して前記フレーム内外へ引き回し可能とする貫通穴を形成してあり、
前記ケーブル用台座を装着するときには前記貫通穴を閉塞され、前記ケーブルを前記フレーム内外へ引き回すときには前記貫通穴を介して引き回すことを特徴とするフレーム用台座。
【発明の詳細な説明】
【技術分野】
【０００１】
本発明は、ディレイラー等の自転車用部品を操作するケーブルをフレームに対して支持するフレーム用台座とケーブル用台座とからなるケーブル固定具に関する。
【背景技術】
【０００２】
近年、ディレイラーは、機械式のものと電動式のものとが利用されている。ディレイラーを操作するケーブルは、機械式のものでは機械式ワイヤーケーブルであり、電動式のものではエレクトリックケーブルである。
ケーブルは、ハンドルから前後ディレイラーまでフレームに沿って引き回されるが、フレームの外面に沿って引き回す方法と、フレーム内を通って引き回す方法とがある。
【０００３】
従来、エレクトリックケーブルをフレーム内へ通すための専用ガイドが利用されていたり、機械式ワイヤーケーブルをフレーム内へ通すための専用ガイド等が利用されている。なお、ディレイラーを操作する機械式ワイヤーケーブルは、一般にインナー（インナーケーブル）とアウター（アウターケーブル）とから構成され、筒状のアウター内を挿通されたインナーが、その挿通方向に自由に移動可能なように保持されている。
【先行技術文献】
【特許文献】
【０００４】
【特許文献１】米国公開特許２０１２／０１７５４７１号
【発明の概要】
【発明が解決しようとする課題】
【０００５】
従来、ケーブルの引き回しに使用する専用ガイドは、引き回し方法に対応した専用のものとなっていた。このため、当初は機械式のディレイラーを使用していたが、電動式のディレイラーに交換するような場合、専用ガイドを付け替えることができず、交換の障害となっていた。
本発明は、ケーブルの種類や引き回し方法の変更に柔軟に対応できるケーブル固定具を提供する。
【課題を解決するための手段】
【０００６】
本発明は、一例として、自転車のフレームに固定されるフレーム用台座と、同フレーム用台座に脱着可能に装着されるケーブル用台座とを具備するケーブル固定具であって、前記フレーム用台座は、前記フレームに開口させた取付穴に対して固定可能であり、自転車用部品を操作するケーブルを通して前記フレーム内外へ引き回し可能とする貫通穴を形成してあり、前記ケーブル用台座は、前記フレーム用台座に対して固定可能であり、固定時には前記貫通穴を閉塞させる構成としてある。
【０００７】
上記構成において、フレーム用台座は自転車のフレームに固定されている。このフレーム用台座はフレームに開口させた取付穴に対して固定されるので以後は変更を要しない。このフレーム用台座にはケーブルをフレーム内外へ引き回し可能とする貫通穴を形成してあり、自転車用部品を操作するケーブルをフレーム内に通したい場合は、この貫通穴を介してフレームの内外へ引き回し可能となる。
【０００８】
一方、フレームに沿ってフレーム外で引き回したい場合は、脱着可能なケーブル用台座をフレーム用台座に装着する。この固定時には前記貫通穴を閉塞させるので、不要な貫通穴が開口したままとなることはない。また、アウターの端部を保持することで結果的に当該ケーブルはケーブル用台座とフレーム用台座とを介してフレームの所定位置に固定される。
【発明の効果】
【０００９】
本発明によれば、ケーブルをフレームの外面に沿って引き回したい場合でも、ケーブルをフレーム内を通して引き回したい場合のいずれにも対応しており、自転車用部品として例えばディレイラーの種類の変更や、引き回しの種類の変更を容易に行える。
【図面の簡単な説明】
【００１０】
【図１】ケーブル固定具をフレームに装着した状態を示す斜視図である。
【図２】フレーム用台座の斜視図である。
【図３】ケーブル用台座の斜視図である。
【図４】フレーム用台座の正面図である。
【図５】フレーム用台座の平面図である。
【図６】フレーム用台座の底面図である。
【図７】フレーム用台座の側面図である。
【図８】フレーム用台座の断面図である。
【図９】フレーム用台座の変形例の部分断面図である。
【図１０】ケーブル用台座の正面図である。
【図１１】ケーブル用台座の平面図である。
【図１２】ケーブル用台座の側面図である。
【図１３】ケーブルアジャスター正面図である。
【図１４】グロメットの正面図である。
【図１５】グロメットの平面図である。
【図１６】グロメットの底面図である。
【図１７】グロメットの側面図である。
【図１８】グロメットの断面図である。
【図１９】ケーブルアジャスターをケーブル固定具に組み付けた状態の斜視図である。
【図２０】ケーブルアジャスターで機械式ワイヤーケーブルを保持した状態の斜視図である。
【図２１】機械式ワイヤーケーブルがフレームの外面に配設される状態の斜視図である。
【図２２】エレクトリックケーブルがフレームの内面に配設される状態の斜視図である。
【発明を実施するための形態】
【００１１】
以下、図面にもとづいて本発明の実施形態を説明する。
図１は、本発明の一実施形態にかかるフレームに装着したケーブル固定具を斜視図により示しており、図２はフレーム用台座の単体を斜視図により示しており、図３はケーブル用台座の単体を斜視図により示している。
図１に示すように、ケーブル固定具１０は、自転車のフレーム１００に固定されるフレーム用台座２０と、同フレーム用台座２０に脱着可能に装着されるケーブル用台座３０とから構成されている。
【００１２】
図４〜図８は、それぞれフレーム用台座２０を詳細に示す図である。
フレーム用台座２０は、概ね細長い矩形形状に形成されており、図４と図７に示すように厚みのある主基部２１と、主基部２１の上部から周囲に延設される薄厚形状のフランジ部２２とを有している。図７に示すように、主基部２１の底面は平面状であり、主基部２１およびフランジ部２２の上面は曲面となっている。この曲面はフレーム１００が主に円柱状であることに対応しており、概ねフレーム１００の円柱表面に一致する曲面となっている。また、フランジ部２２は、一定の厚みのまま曲面とされている。フランジ部２２は、フレーム１００に対して実寸では０．５ｍｍ程度突き出る状態となっているが、フレーム１００と面一となるようにフレーム１００の側に凹部を形成することや、突き出た周囲をパテ等で均すことも可能である。
【００１３】
図４と図７の破線で示すように、主基部２１におけるフレーム１００への装着時に表面となる上面には、抉るように形成された凹部２１ａを有している。この凹部２１ａは主基部２１における長手方向にそって形成されており、底面は平面である。言い換えると、主基部２１とフランジ部２２とは概ねその上面が曲面であるものの、この凹部２１ａの形成部位に限っては平面となっている。
主基部２１には、凹部２１ａにおける長手方向のほぼ中央に貫通穴２１ｂが形成され、また、凹部２１ａにおける同貫通穴２１ｂを長手方向に挟む位置にはねじ穴２１ｃ，２１ｃが形成されている。この貫通穴２１ｂは、ディレイラーを操作するケーブルを挿通させてフレーム１００内外へ引き回し可能とする程度の大きさである。本実施例では、ケーブルが操作する対象となっているのはディレイラーであるが、必ずしもディレイラーである必要はなく、他の自転車部品を操作するケーブルを対象とできることはいうまでもない。例えば、照明用の電灯類や他の電子式の制御装置のケーブル、走行位置のログを記録するための装置等、各種のケーブルが対象となる。
図４の破線で示すように、主基部２１は、底面側から中央部分をくりぬくように薄肉部２１ｄを形成してあり、貫通穴２１ｂはこの薄肉部２１ｄの中で開口しているが、図５と図６に示すように、ねじ穴２１ｃ，２１ｃは薄肉部２１ｄではない、厚みのある部分に形成されている。ねじ穴２１ｃ，２１ｃについては、後述するケーブル用台座３０をネジ止めする際に厚みを有効に利用してしっかりと固定できる。一方、薄肉部２１ｄは貫通穴２１ｂよりも開口が大きく、主基部２１の長手方向に広くなっている。このため、ケーブルを貫通穴２１ｂに通すときには、フレーム１００に対して直交する方向とならず、フレーム１００に対して斜めに引き回せることになる。なお、主基部２１は、長手方向における両端が略半円形状に形成されている。フレーム１００に開口するように形成する取付穴は概ねこの主基部２１がすっぽりと入り込む程度の大きさとする。
【００１４】
フランジ部２２も、長手方向における両端が略半円形状に形成されており、主基部２１の短手方向については、いずれの側についても同じ短めの距離だけ主基部２１から外側に延設されている。一方、主基部２１の長手方向については、主基部２１を基準として一方の端部は他方の端部よりも長く形成されている。そして、長い側の端部にはリベット用穴２２ａを形成されている。言い換えると、フランジ部２２において、主基部２１とリベット用穴２２ａとは並設されている。なお、後述するように、リベット用穴２２ａは、フレーム１００に取り付ける際にヘッドパイプ等の接合部に近い側に配置されることになる。
【００１５】
なお、図９に示すように、フランジ部２２における短い側では、主基部２１の周面に同フランジ部２２から所定距離だけ離れた位置に、同フランジ部２２と同様に周囲方向に突出するように係止爪２１ｅを形成してもよい。この場合、係止爪２１ｅとフランジ部２２との距離はフレーム１００の肉厚に合わせておく。すると、フレーム１００に形成した取付穴の縁部をくわえ込むことになり、固定時に安定する。
【００１６】
次に、図１０〜図１２は、それぞれケーブル用台座を詳細に示す図である。また、図１３は、ケーブルアジャスターを示している。
ケーブル用台座３０は、主基部２１に形成した凹部２１ａの形状に一致する底板３１を有している。すなわち、両端を半円形状にしつつ中央部分は帯板状とした形状となっている。この底板３１の底面は平面となった略板状に形成されており、主基部２１に形成された凹部２１ａも平面であるので、この凹部２１ａに入り込んだ状態では周縁でＸＹ方向への移動が規制され、位置決め可能なっている。また、主基部２１のねじ穴２１ｃ，２１ｃに対応した部位には、図１１に示すように、ボルト止め用の貫通孔３１ａ，３１ａを形成してある。図示しないボルトを貫通孔３１ａ，３１ａを介して挿通し、主基部２１のねじ穴２１ｃ，２１ｃに螺合させることで、ケーブル用台座３０はフレーム用台座２０に固定される。
【００１７】
底板３１の中央部分からは支柱３２が立設されている。概略円柱形状のケーブル受け部３３は、この支柱３２を介して底板３１と一体的に形成されている。一体的に形成されるので、どの部位が底板３１、支柱３２、ケーブル受け部３３のいずれかに該当するかは明確ではないが概ねこのように称する。ケーブル受け部３３は、底板の長手方向に向けてケーブルのインナーを貫通可能なケーブル貫通孔３３ａを有している。一般的には、ケーブル貫通孔３３ａにはケーブルアジャスター１１０の雄ねじ１１０ａがねじ込まれるようになっており、この意味で、このケーブル貫通孔３３ａは、機械式ワイヤーケーブルにおけるインナーを挿通できる内径である。従って、ケーブル受け部３３は、機械式ワイヤーケーブルのアウターの端部を保持し、同ケーブル貫通孔３３ａに機械式ワイヤーケーブルにおけるインナーを貫通させて保持することになる。
【００１８】
ただし、本実施例の場合、ケーブル受け部３３は、ケーブルアジャスター１１０を装着可能としており、ケーブルアジャスター１１０を介して機械式ワイヤーケーブルのアウターを保持する。より詳細には、概略円柱形状としたケーブル受け部３３における一方の端部には、図１２に示すように、ケーブル貫通孔３３ａの周囲に４つの切り溝３３ａ１を形成してあり、図示しないケーブルアジャスター１１０の回転止めの突起が同切り溝３３ａ１内に入り込むとその位置に保持できるようになっている。そして、ケーブルアジャスター１１０を回転させると回転止めの突起は同切り溝３３ａ１から外れて次の位置の切り溝３３ａ１に入り込む。言い換えると１／４回転ごとにケーブルアジャスター１１０を安定して保持できる位置が形成されることになる。ケーブルアジャスター１１０自身は二部品からなり、機械式ワイヤーケーブルの端部を保持しつつ、回転させることで軸方向に同端部の位置を微調整できるようになっている。
【００１９】
次に、図１４〜図１８は、それぞれエレクトリックケーブル用のグロメットを詳細に示している。
このグロメット４０は、フレーム用台座２０の貫通穴２１ｂにエレクトリックケーブルを貫通せしめたとき、水密的に保持するためのものである。グロメット４０はゴム等の弾性部材で形成され、表面部位４１と、貫通部位４２と、裏面部位４３とから形成されている。貫通部位４２の外径は前記貫通穴２１ｂの内径に概ね一致する形状であるが、全体が弾性部材で形成されているので、多少の違いは弾性変形することで吸収できるようになっている。グロメット４０は、フレーム用台座２０に対して略直交する方向に沿って貫通穴２１ｂに装着させる。グロメット４０において、貫通部位４２を挟んで上下に位置する表面部位４１と裏面部位４３は、当該貫通部位４２よりも大径となっているので、貫通穴２１ｂの周囲を挟み込むことになり、容易に抜け出たり、フレーム１００の内部に入り込んでしまわないようになっている。そして、このような形状とすることで貫通穴２１ｂについては水密的に閉塞することができる。
【００２０】
図１８に示すように、このグロメット４０には、表面部位４１と貫通部位４２と裏面部位４３とを斜めに突き抜けるように貫通斜孔４４を形成してある。表面部位４１は全体的に盛り上がった形状となっているが、貫通斜孔４４の開口が同表面部位４１の一方に寄っており、盛り上がっている頂部もこの開口の側に寄った形状となっている。貫通斜孔４４の内径は、挿通させるエレクトリックケーブルの外径よりも小さく形成してあり、ややタイトな内径の貫通斜孔４４に対して同エレクトリックケーブルを無理通しすることにより、水密構造を形成できる。上述したように、主基部２１の側では貫通穴２１ｂの下部により開口幅を長くした薄肉部２１ｄを形成してあるので、斜めに挿通させたエレクトリックケーブルは貫通斜孔４４を出たところでこの薄肉部２１ｄの中に入り、極端に曲げられることなくスムーズにフレーム１００内に入っていくことができる。
【００２１】
次に、上記構成からなる本実施形態の動作を説明する。
フレーム１００には、主基部２１の外周形状にほぼ一致する取付穴が開口しており、フレーム用台座２０の主基部２１を当該取付穴に挿入する。フレーム１００には、パイプ等の接合部に近い側にリベット用の穴を開けておき、フレーム用台座２０の側のリベット用穴２２ａとともにリベットを貫通させて締め付け、同フレーム用台座２０をフレーム１００に固定する。リベット用穴２２ａの方が取付穴よりもパイプに近い側にあるということは、少しでも取付穴をパイプの側から遠ざけることができるということである。フレーム１００に設ける開口はフレームの耐久力を低下させるが、パイプの側から遠ざかることで応力集中を低減させ、耐久性を向上させることができる。本実施例の取付例では、パイプはヘッドパイプであるが、他の取付位置であれば、他のパイプとの接合部に近い側にリベット用の穴を空けておくことになる。
【００２２】
ここで、フレーム１００の取付穴の周囲の素材が樹脂系のようなＦＲＰ素材であるとき、フレーム用台座２０は取付穴に対して、接着剤と、リベット用穴２２ａを介してリベットによる固定とを併用する。ＦＲＰ系の素材の場合は接着剤による固定がなじみやすく固定強度を向上させることができる。なお、接着剤の併用は取付穴の周囲の素材がＦＲＰ素材であるときであるが、フレームが複合素材であるときには取付穴の周囲の素材に応じて決定すればよい。
【００２３】
一方、フレーム１００の取付穴の周囲の素材が金属系素材であるときには、フレーム用台座２０は、取付穴に対して溶接固定する。金属系素材のような金属素材の場合は、フランジ部２２を取付穴の周囲でフレーム１００に溶接することで取付穴の周囲の肉厚が増し、上述した応力集中に対して十分な対応力を得ることができるようになる。また、溶接固定する場合にもリベット止めを併用することは可能であるが、十分な固定力を得られる場合にはリベット止めは不要である。
【００２４】
フレーム用台座２０は、以上のようにフレーム１００に固定されると、取り外すことはほぼ不可能となるが、以下に示すように、ケーブルの変更や、ケーブルの引き回し方法の変更に対応可能である。
【００２５】
図１９〜図２１は、ケーブルをフレームの外面に沿って引き回す状態をそれぞれ示している。
ケーブルをフレームの外面に沿って引き回す場合、ケーブル用台座３０を使用する。ケーブル用台座３０の底板３１をフレーム用台座２０の凹部２１ａに入りこませると、フレーム用台座２０とケーブル用台座３０とは適正な位置に位置合わせされることになるので、この状態で図１にあるボルトを貫通孔３１ａ，３１ａを介して挿通し、主基部２１のねじ穴２１ｃ，２１ｃに螺合させる。これで、ケーブル用台座３０はフレーム用台座２０に固定されるので、図１９に示すように、ケーブルアジャスター１１０をケーブル受け部３３に装着し、図２０に示すように、機械式ワイヤーケーブルＭｃの端部を保持させる。すなわち、ケーブルアジャスター１１０によって機械式ワイヤーケーブルＭｃにおけるアウターＭｏの端部を保持し、インナーＭｉはケーブルアジャスター１１０とケーブル受け部３３を貫通して、図２１に示すように、フレーム１００の外側で、当該フレーム１００の外面に沿って所定位置まで引き回されることになる。
なお、エレクトリックケーブルは一般的にはフレーム１００内面を通すことが多いが、エレクトリックケーブルの場合でも直にあるいは別途アダプタを介してこのケーブル受け部３３で保持させることで、同エレクトリックケーブルはフレーム１００の外面に沿って引き回すことが可能となる。
いずれの場合でも、ケーブルをフレーム１００の外面に沿って引き回す場合であるから、貫通穴２１ｂを使用する必要がない。そして、上述したようにケーブル用台座３０の底板３１を凹部２１ａに入り込ませた際、底板３１は同貫通穴２１ｂを塞ぐことにもなるので、別途の手段を用いて貫通穴２１ｂを塞ぐ手間が不要である。
【００２６】
次に、図２２は、ケーブルをフレーム内に通す場合を示している。
ケーブルをフレーム１００内に通す場合は、ケーブル用台座３０をフレーム用台座２０に取り付けない。エレクトリックケーブルＥｃを使用する場合は、グロメット４０をフレーム用台座２０の貫通穴２１ｂに対して装着する。具体的には、裏面部位４３をたわめながら同貫通穴２１ｂ内に押し込む。裏面部位４３が完全に貫通穴２１ｂを通過したとき、同裏面部位４３は自らの弾性によって元の形状に復元しようとし、貫通穴２１ｂの裏側で拡径する。これにより、グロメット４０は表面部位４１と裏面部位４３とで貫通穴２１ｂの周縁部分を挟み込み、抜け出たり、入り込んだりしなくなる。
【００２７】
最後に、エレクトリックケーブルＥｃを貫通斜孔４４に沿って斜めに挿通させれば、図２２に示すように、エレクトリックケーブルＥｃを途中からフレーム１００内へ引き回すことが可能となる。この場合、貫通穴２１ｂにおいても貫通斜孔４４においても水密構造が確保され、外部から水がフレーム１００内に入り込まないようにすることができる。
一方、図１５〜図１７の一点鎖線で示すように、グロメット４０にスリットを形成しておいても良い。グロメット４０にスリットを形成しておくものでは、このスリットを開いてエレクトリックケーブルＥｃを貫通斜孔４４に通すことが可能である。そのようにしてグロメット４０にエレクトリックケーブルＥｃを通した状態として、エレクトリックケーブルＥｃとともにグロメット４０をフレーム用台座２０の貫通穴２１ｂに対して装着する。スリットが形成してある場合でも、グロメット４０を貫通孔２１ｂに押し込むことで、スリットは密閉状態となり、エレクトリックケーブルＥｃの周面にも良く密着し、十分な水密構造を期待できる。
機械式ワイヤーケーブルの場合は、グロメット４０を使用しないで貫通穴２１ｂに挿通せしめても良いし、機械式ワイヤーケーブルの外径に合わせた貫通斜孔を形成したグロメットを用意しておいて挿通させるようにしても良い。
【００２８】
このように、自転車のフレーム１００に固定されるフレーム用台座２０と、同フレーム用台座２０に脱着可能に装着されるケーブル用台座３０とを具備するケーブル固定具１０であって、フレーム用台座２０は、フレーム１００に開口させた取付穴に対して固定可能であり、ディレイラーを操作するケーブルを通してフレーム１００内外へ引き回し可能とする貫通穴２１ｂを形成してあり、ケーブル用台座３０は、フレーム用台座２０に対して固定可能であり、固定時には前記貫通穴２１ｂを閉塞させる。
【００２９】
すなわち、貫通穴２１ｂを有するフレーム用台座２０を自転車のフレーム１００に固定しておくと、ケーブルをフレーム１００の外面に沿って引き回したいときにはケーブル用台座３０を同フレーム用台座２０に固定し、当該フレーム用台座２０を介してケーブルをフレーム１００の外面に保持できるし、ケーブルをフレーム１００の内部を通して引き回したいときには、ケーブル用台座３０を使用することなく、フレーム用台座２０の貫通穴２１ｂを介してケーブルをフレーム１００内に挿通させることができる。
【００３０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３１】
１０…ケーブル固定具、２０…フレーム用台座、２１…主基部、２１ａ…凹部、２１ｂ…貫通穴、２１ｃ…ねじ穴、２１ｄ…薄肉部、２１ｅ…係止爪、２２…フランジ部、２２ａ…リベット用穴、３０…ケーブル用台座、３１…底板、３１ａ…貫通孔、３２…支柱、３３…ケーブル受け部、３３ａ…ケーブル貫通孔、３３ａ１…切り溝、４０…グロメット、４１…表面部位、４２…貫通部位、４３…裏面部位、４４…貫通斜孔、１００…フレーム、１１０…ケーブルアジャスター、１１０ａ…雄ねじ、Ｍｃ…機械式ワイヤーケーブル、Ｍｏ…アウター、Ｍｉ…インナー、Ｅｃ…エレクトリックケーブル。
【図１】
2015047968.tif 000003
【図２】
2015047968.tif 000004
【図３】
2015047968.tif 000005
【図４】
2015047968.tif 000006
【図５】
2015047968.tif 000007
【図６】
2015047968.tif 000008
【図７】
2015047968.tif 000009
【図８】
2015047968.tif 000010
【図９】
2015047968.tif 000011
【図１０】
2015047968.tif 000012
【図１１】
2015047968.tif 000013
【図１２】
2015047968.tif 000014
【図１３】
2015047968.tif 000015
【図１４】
2015047968.tif 000016
【図１５】
2015047968.tif 000017
【図１６】
2015047968.tif 000018
【図１７】
2015047968.tif 000019
【図１８】
2015047968.tif 000020
【図１９】
2015047968.tif 000021
【図２０】
2015047968.tif 000022
【図２１】
2015047968.tif 000023
【図２２】
2015047968.tif 000024